(57)【要約】【課題】縦および横クロストークの発生を抑えるとともに低消費電力化を図る。【解決手段】走査線を１行ずつ水平走査期間毎に選択する。水平走査期間を前半期間Ｔaと後半期間Ｔbとに分割し、選択した走査線に、後半期間Ｔbに正極性および負極性の一方の選択電圧を走査線に印加したとき、次の走査線には、その水平走査期間の後半期間Ｔbにおいて正極性および負極性の他方の選択電圧を走査線に印加する。後半期間Ｔbに正極性の選択電圧を印加する場合に、奇数列のデータ信号Ｘjについては、水平走査期間の後半期間においてオン電圧の印加期間を時間的に後方に寄せる一方、当該水平走査期間の前半期間Ｔaでは、後半期間の反転電圧とし、偶数列のデータ信号Ｘ(j+1)については、水平走査期間の後半期間においてオン電圧の印加期間を時間的に前方に寄せる一方、当該水平走査期間の次の水平走査期間の前半期間Ｔaでは、後半期間Ｔaの反転電圧とする。【選択図】図７
2007164019.tif 000002
【特許請求の範囲】
【請求項１】
複数の走査線と複数のデータ線との各交差に対応して配置された複数の画素を駆動する
電気光学装置の駆動方法であって、
前記複数の走査線を１行ずつ水平走査期間毎に選択するとともに、選択した走査線に、
水平走査期間の後半期間において基準電圧に対して正極性および負極性の選択電圧を交互
に印加し、
各水平走査期間の後半期間において、
前記正極性または負極性の一方の選択電圧を印加する場合、
前記複数のデータ線のうち奇数または偶数列の一方に属するデータ線に対し、
所定のオン電圧を、当該後半期間のうち、選択電圧を印加する画素の階調に応じた期間
だけ時間的に後方に寄せて印加し、当該後半期間のうち前記オン電圧を印加しない期間に
おいて所定のオフ電圧を印加し、かつ、当該水平走査期間の前半期間において、当該後半
期間における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧を印加する画素の階調に応じた期間だ
け時間的に前方に寄せて印加し、当該後半期間のうち前記オン電圧を印加しない期間にお
いて前記オフ電圧を印加し、かつ、当該水平走査期間の次の水平走査期間の前半期間にお
いて、当該後半期間における前記オン電圧と前記オフ電圧とを入れ替えた波形を印加する
一方、
前記正極性または負極性の他方の選択電圧を印加する場合、
前記複数のデータ線のうち奇数または偶数列の一方に属するデータ線に対し、
前記オン電圧を、当該後半期間のうち、選択電圧を印加する画素の階調に応じた期間だ
け時間的に前方に寄せて印加し、当該後半期間のうち前記オン電圧を印加しない期間にお
いて前記オフ電圧を印加し、かつ、当該水平走査期間の前半期間において、当該後半期間
における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧を印加する画素の階調に応じた期間だ
け時間的に後方に寄せて印加し、当該後半期間のうち前記オン電圧を印加しない期間にお
いて前記オフ電圧を印加し、かつ、当該水平走査期間の次の水平走査期間の前半期間にお
いて、当該後半期間における前記オン電圧と前記オフ電圧とを入れ替えた波形を印加する
ことを特徴とする電気光学装置の駆動方法。
【請求項２】
複数の走査線と複数のデータ線との各交差に対応して配置された複数の画素を駆動する
電気光学装置の駆動方法であって、
前記複数の走査線を１行ずつ水平走査期間毎に選択するとともに、選択した走査線に、
水平走査期間の後半期間において基準電圧に対して正極性および負極性の選択電圧を交互
に印加し、
各水平走査期間の前半期間において、
前記正極性または負極性の一方の選択電圧を印加する場合、
前記複数のデータ線のうち奇数または偶数列の一方に属するデータ線に対し、
所定のオン電圧を、当該前半期間のうち、選択電圧を印加する画素の階調に応じた期間
だけ時間的に後方に寄せて印加し、当該前半期間のうち前記オン電圧を印加しない期間に
おいて所定のオフ電圧を印加し、かつ、当該水平走査期間の後半期間において、当該前半
期間における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧を印加する画素の階調に応じた期間だ
け時間的に前方に寄せて印加し、当該前半期間のうち前記オン電圧を印加しない期間にお
いて前記オフ電圧を印加し、かつ、当該水平走査期間の前の水平走査期間の後半期間にお
いて、当該前半期間における前記オン電圧と前記オフ電圧とを入れ替えた波形を予め印加
する一方、
前記正極性または負極性の他方の選択電圧を印加する場合、
前記複数のデータ線のうち奇数または偶数列の一方に属するデータ線に対し、
前記オン電圧を、当該前半期間のうち、選択電圧を印加する画素の階調に応じた期間だ
け時間的に前方に寄せて印加し、当該前半期間のうち前記オン電圧を印加しない期間にお
いて前記オフ電圧を印加し、かつ、当該水平走査期間の後半期間において、当該後半期間
における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧を印加する画素の階調に応じた期間だ
け時間的に後方に寄せて印加し、当該前半期間のうち前記オン電圧を印加しない期間にお
いて前記オフ電圧を印加し、かつ、当該水平走査期間の前の水平走査期間の後半期間にお
いて、当該前半期間における前記オン電圧と前記オフ電圧とを入れ替えた波形を予め印加
する
ことを特徴とする電気光学装置の駆動方法。
【請求項３】
ひとつの画素に対し、
前記正極性の選択電圧を印加する期間において、前記オン電圧を時間的に後方に寄せる
第１フレームと、
前記負極性の選択電圧を印加する期間において、前記オン電圧を時間的に前方に寄せる
第２フレームと、
前記正極性の選択電圧を印加する期間において、前記オン電圧を時間的に前方に寄せる
第３フレームと、
前記負極性の選択電圧を印加する期間において、前記オン電圧を時間的に後方に寄せる
第４フレームとを、所定の順番で繰り返す
ことを特徴とする請求項１または２に記載の電気光学装置の駆動方法。
【請求項４】
複数の走査線と複数のデータ線との各交差に対応して配置された複数の画素を駆動する
電気光学装置の駆動方法であって、
前記複数の走査線を１行ずつ水平走査期間毎に選択するとともに、選択した走査線に、
水平走査期間の後半期間において基準電圧に対して正極性および負極性の選択電圧を交互
に印加し、
各水平走査期間の後半期間において、
前記正極性または負極性の一方の選択電圧を印加する場合に、
前記複数のデータ線のうち奇数列および偶数列の一方に属する画素について第１階調が
指定されたとき、当該データ線に対し、前記基準電圧に対して正極性または負極性のデー
タ電圧のうち、印加する選択電圧とは反対極性のデータ電圧を、当該後半期間の開始点か
ら終了点までにわたって印加し、
前記第１階調とは異なる第２階調が指定されたとき、当該データ線に対し、印加する選
択電圧とは同一極性のデータ電圧を、当該後半期間の開始点から終了点までにわたって印
加し、
かつ、それぞれ当該後半期間において印加するデータ電圧の反転波形を、当該水平走査
期間の前半期間の開始点から終了点までにわたって予め印加し、
前記複数のデータ線のうち奇数列および偶数列の他方に属する画素について前記第１階
調が指定されたとき、当該データ線に対し、印加する選択電圧とは反対極性のデータ電圧
を、当該後半期間の開始点から終了点までにわたって印加し、
前記第２階調が指定されたとき、当該データ線に対し、印加する選択電圧とは同一極性
のデータ電圧を、当該後半期間の開始点から終了点までにわたって印加し、
かつ、それぞれ当該後半期間において印加するデータ電圧の反転波形を、当該水平走査
期間の次の水平走査期間の前半期間の開始点から終了点までにわたって印加する
ことを特徴とする電気光学装置の駆動方法。
【請求項５】
複数の走査線と複数のデータ線との各交差に対応して配置された複数の画素を駆動する
電気光学装置の駆動方法であって、
前記複数の走査線を１行ずつ水平走査期間毎に選択するとともに、選択した走査線に、
水平走査期間の後半期間において基準電圧に対して正極性および負極性の選択電圧を交互
に印加し、
各水平走査期間の前半期間において、
前記正極性または負極性の一方の選択電圧を印加する場合に、
前記複数のデータ線のうち奇数列および偶数列の一方に属する画素について第１階調が
指定されたとき、当該データ線に対し、前記基準電圧に対して正極性または負極性のデー
タ電圧のうち、印加する選択電圧とは反対極性のデータ電圧を、当該前半期間の開始点か
ら終了点までにわたって印加し、
前記第１階調とは異なる第２階調が指定されたとき、当該データ線に対し、印加する選
択電圧とは同一極性のデータ電圧を、当該前半期間の開始点から終了点までにわたって印
加し、
かつ、それぞれ当該前半期間において印加するデータ電圧の反転波形を、当該水平走査
期間の後半期間の開始点から終了点までにわたって印加し、
前記複数のデータ線のうち奇数列および偶数列の他方に属する画素について前記第１階
調が指定されたとき、当該データ線に対し、印加する選択電圧とは反対極性のデータ電圧
を、当該前半期間の開始点から終了点までにわたって印加し、
前記第２階調が指定されたとき、当該データ線に対し、印加する選択電圧とは同一極性
のデータ電圧を、当該前半期間の開始点から終了点までにわたって印加し、
かつ、それぞれ当該前半期間において印加するデータ電圧の反転波形を、当該水平走査
期間の前の水平走査期間の後半期間の開始点から終了点までにわたって予め印加する
ことを特徴とする電気光学装置の駆動方法。
【請求項６】
複数の走査線と複数のデータ線との各交差に対応して複数の画素が配置された電気光学
装置の駆動回路であって、
前記複数の走査線を１行ずつ水平走査期間毎に選択するとともに、選択した走査線に、
水平走査期間の後半期間において基準電圧に対して正極性および負極性の選択電圧を交互
に印加する走査線駆動回路と、
各水平走査期間の後半期間において、
前記正極性または負極性の一方の選択電圧が印加される場合、
前記複数のデータ線のうち奇数または偶数列の一方に属するデータ線に対し、
所定のオン電圧を、当該後半期間のうち、選択電圧が印加される画素の階調に応じた期
間だけ時間的に後方に寄せて印加し、当該後半期間のうち前記オン電圧を印加しない期間
において所定のオフ電圧を印加し、かつ、当該水平走査期間の前半期間において、当該後
半期間における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧が印加される画素の階調に応じた期間
だけ時間的に前方に寄せて印加し、当該後半期間のうち前記オン電圧を印加しない期間に
おいて前記オフ電圧を印加し、かつ、当該水平走査期間の次の水平走査期間の前半期間に
おいて、当該後半期間における前記オン電圧と前記オフ電圧とを入れ替えた波形を印加す
る一方、
前記正極性または負極性の他方の選択電圧が印加される場合、
前記複数のデータ線のうち奇数または偶数列の一方に属するデータ線に対し、
前記オン電圧を、当該後半期間のうち、選択電圧が印加される画素の階調に応じた期間
だけ時間的に前方に寄せて印加し、当該後半期間のうち前記オン電圧を印加しない期間に
おいて前記オフ電圧を印加し、かつ、当該水平走査期間の前半期間において、当該後半期
間における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧が印加される画素の階調に応じた期間
だけ時間的に後方に寄せて印加し、当該後半期間のうち前記オン電圧を印加しない期間に
おいて前記オフ電圧を印加し、かつ、当該水平走査期間の次の水平走査期間の前半期間に
おいて、当該後半期間における前記オン電圧と前記オフ電圧とを入れ替えた波形を印加す
るデータ線駆動回路と、
を有することを特徴とする電気光学装置の駆動回路。
【請求項７】
複数の走査線と複数のデータ線との各交差に対応して複数の画素が配置された電気光学
装置の駆動回路であって、
前記複数の走査線を１行ずつ水平走査期間毎に選択するとともに、選択した走査線に、
水平走査期間の前半期間において基準電圧に対して正極性および負極性の選択電圧を交互
に印加する走査線駆動回路と、
各水平走査期間の前半期間において、
前記正極性または負極性の一方の選択電圧が印加される場合、
前記複数のデータ線のうち奇数または偶数列の一方に属するデータ線に対し、
所定のオン電圧を、当該前半期間のうち、選択電圧が印加される画素の階調に応じた期
間だけ時間的に後方に寄せて印加し、当該前半期間のうち前記オン電圧を印加しない期間
において所定のオフ電圧を印加し、かつ、当該水平走査期間の後半期間において、当該前
半期間における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧が印加される画素の階調に応じた期間
だけ時間的に前方に寄せて印加し、当該前半期間のうち前記オン電圧を印加しない期間に
おいて前記オフ電圧を印加し、かつ、当該水平走査期間の前の水平走査期間の後半期間に
おいて、当該前半期間における前記オン電圧と前記オフ電圧とを入れ替えた波形を予め印
加する一方、
前記正極性または負極性の他方の選択電圧が印加される場合、
前記複数のデータ線のうち奇数または偶数列の一方に属するデータ線に対し、
前記オン電圧を、当該前半期間のうち、選択電圧が印加される画素の階調に応じた期間
だけ時間的に前方に寄せて印加し、当該前半期間のうち前記オン電圧を印加しない期間に
おいて前記オフ電圧を印加し、かつ、当該水平走査期間の後半期間において、当該後半期
間における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧が印加される画素の階調に応じた期間
だけ時間的に後方に寄せて印加し、当該前半期間のうち前記オン電圧を印加しない期間に
おいて前記オフ電圧を印加し、かつ、当該水平走査期間の前の水平走査期間の後半期間に
おいて、当該前半期間における前記オン電圧と前記オフ電圧とを入れ替えた波形を予め印
加するデータ線駆動回路と、
を有することを特徴とする電気光学装置の駆動回路。
【請求項８】
複数の走査線と複数のデータ線との各交差に対応して配置する複数の画素と、
前記複数の走査線を１行ずつ水平走査期間毎に選択するとともに、選択した走査線に、
水平走査期間の後半期間において基準電圧に対して正極性および負極性の選択電圧を交互
に印加する走査線駆動回路と、
各水平走査期間の後半期間において、
前記正極性または負極性の一方の選択電圧が印加される場合、
前記複数のデータ線のうち奇数または偶数列の一方に属するデータ線に対し、
所定のオン電圧を、当該後半期間のうち、選択電圧が印加される画素の階調に応じた期
間だけ時間的に後方に寄せて印加し、当該後半期間のうち前記オン電圧を印加しない期間
において所定のオフ電圧を印加し、かつ、当該水平走査期間の前半期間において、当該後
半期間における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧が印加される画素の階調に応じた期間
だけ時間的に前方に寄せて印加し、当該後半期間のうち前記オン電圧を印加しない期間に
おいて前記オフ電圧を印加し、かつ、当該水平走査期間の次の水平走査期間の前半期間に
おいて、当該後半期間における前記オン電圧と前記オフ電圧とを入れ替えた波形を印加す
る一方、
前記正極性または負極性の他方の選択電圧が印加される場合、
前記複数のデータ線のうち奇数または偶数列の一方に属するデータ線に対し、
前記オン電圧を、当該後半期間のうち、選択電圧が印加される画素の階調に応じた期間
だけ時間的に前方に寄せて印加し、当該後半期間のうち前記オン電圧を印加しない期間に
おいて前記オフ電圧を印加し、かつ、当該水平走査期間の前半期間において、当該後半期
間における前記オン電圧と前記オフ電圧とを入れ替えた波形を予め印加し、
前記複数のデータ線のうち奇数または偶数列の他方に属するデータ線に対し、
前記オン電圧を、当該後半期間のうち、選択電圧が印加される画素の階調に応じた期間
だけ時間的に後方に寄せて印加し、当該後半期間のうち前記オン電圧を印加しない期間に
おいて前記オフ電圧を印加し、かつ、当該水平走査期間の次の水平走査期間の前半期間に
おいて、当該後半期間における前記オン電圧と前記オフ電圧とを入れ替えた波形を印加す
るデータ線駆動回路と、
を有することを特徴とする電気光学装置。
【請求項９】
複数の走査線と複数のデータ線との各交差に対応して配置された複数の画素と、
前記複数の走査線を１行ずつ水平走査期間毎に選択するとともに、選択した走査線に、
水平走査期間の前半期間において基準電圧に対して正極性および負極性の選択電圧を交互
に印加する走査線駆動回路と、
各水平走査期間の前半期間において、
前記正極性または負極性の一方の選択電圧が印加される場合、
前記複数のデータ線のうち奇数または偶数列の一方に属するデータ線に対し、
所定のオン電圧を、当該前半期間のうち、選択電圧が印加される画素の階調に応じた期
間だけ時間的に後方に寄せて印加し、当該前半期間のうち前記オン電圧を印加しない期間
において所定のオフ電圧を印加し、かつ、当該水平走査期間の後半期間において、当該前
半期間における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧が印加される画素の階調に応じた期間
だけ時間的に前方に寄せて印加し、当該前半期間のうち前記オン電圧を印加しない期間に
おいて前記オフ電圧を印加し、かつ、当該水平走査期間の前の水平走査期間の後半期間に
おいて、当該前半期間における前記オン電圧と前記オフ電圧とを入れ替えた波形を予め印
加する一方、
前記正極性または負極性の他方の選択電圧が印加される場合、
前記複数のデータ線のうち奇数または偶数列の一方に属するデータ線に対し、
前記オン電圧を、当該前半期間のうち、選択電圧が印加される画素の階調に応じた期間
だけ時間的に前方に寄せて印加し、当該前半期間のうち前記オン電圧を印加しない期間に
おいて前記オフ電圧を印加し、かつ、当該水平走査期間の後半期間において、当該後半期
間における前記オン電圧と前記オフ電圧とを入れ替えた波形を印加し、
前記複数のデータ線のうち奇数または偶数列の他方に属するデータ線に対し、
前記オン電圧を、当該前半期間のうち、選択電圧が印加される画素の階調に応じた期間
だけ時間的に後方に寄せて印加し、当該前半期間のうち前記オン電圧を印加しない期間に
おいて前記オフ電圧を印加し、かつ、当該水平走査期間の前の水平走査期間の後半期間に
おいて、当該前半期間における前記オン電圧と前記オフ電圧とを入れ替えた波形を予め印
加するデータ線駆動回路と、
を有することを特徴とする電気光学装置。
【請求項１０】
請求項８または９に記載の電気光学装置を有することを特徴とする電子機器。
【発明の詳細な説明】
【技術分野】
【０００１】
本発明は、液晶などの電気光学物質を利用して画像を表示する技術に関する。
【背景技術】
【０００２】
液晶装置などの電気光学装置において複数の階調を表示するための技術としては、パル
ス幅変調方式が提案されている。この方式においては、画素をオン表示させるためのオン
電圧と、オフ表示させるためのオフ電圧とを、画素の階調に応じた時間配分にて各データ
線に印加する（例えば特許文献１参照）。この方式を採用した電気光学装置においては、
データ線の電圧が、オン電圧とオフ電圧との２値のみとなるから、電気光学装置を駆動す
る構成の簡素化が図られるという利点がある。
【特許文献１】特開２００２−３６６１２０号公報（図１０参照）
【発明の開示】
【発明が解決しようとする課題】
【０００３】
ところで、この種の電気光学装置において各データ線は、これに隣接する他のデータ線
と容量的に結合する。したがって、いずれかのデータ線の電圧がオン電圧およびオフ電圧
の一方から他方に切り替わると、このデータ線に隣接する他のデータ線の電圧も併せて変
動することになる。このように各データ線の電圧に変動が生じると、各画素に対し、目的
とする電圧実効値を印加することができず、この結果としてデータ線が延在する方向に沿
った表示ムラ（以下では、この現象を「縦クロストーク」という）が発生するといった問
題がある。
この問題を解決するために、（１）データ線に寄生する容量を低減する方策や、（２）
画素の容量をデータ線の容量と比較して増加させる方策などが考えられている。しかしな
がら、データ線の容量の低減や画素の容量の増大には限界があるから、方策（１）や（２
）によっても縦クロストークを充分に抑制することは困難である。
【０００４】
また、画素の電極として機能する走査線と、この走査線と絶縁性を保ちつつ交差するデ
ータ線とを備えた電気光学装置において、方策（２）を採用するためには走査線の容量を
増加させることが必要となる。この構成において走査線とデータ線とが容量的に結合して
いると、データ線に印加される電圧の変動に起因して走査線の電圧が変動し、これに伴っ
て画素の電圧実効値が変動するため、走査線が延在する方向に表示ムラ（いわゆる横クロ
ストーク）が発生する場合がある。ここで、データ線の電圧に応じた走査線の電圧変動量
は、走査線の容量に応じて増大するから、画素の容量（走査線の容量）を増大させるとい
う方策（２）を採用した場合、今度は横クロストークが顕在化するという問題が生じ得る
。
本発明は、このような事情に鑑みてなされたものであり、その目的とするところは、デ
ータ線や画素の容量に制約されることなく、縦クロストークおよび横クロストークを低減
することが可能な電気光学装置、駆動方法、駆動回路および電子機器を提供することにあ
る。
【課題を解決するための手段】
【０００５】
上記目的を達成するために、複数の走査線と複数のデータ線との各交差に対応して配置
された複数の画素を駆動する電気光学装置の駆動方法であって、前記複数の走査線を１行
ずつ水平走査期間毎に選択するとともに、選択した走査線に、水平走査期間の後半期間に
おいて基準電圧に対して正極性および負極性の選択電圧を交互に印加し、各水平走査期間
の後半期間において、前記正極性または負極性の一方の選択電圧を印加する場合、前記複
数のデータ線のうち奇数または偶数列の一方に属するデータ線に対し、所定のオン電圧を
、当該後半期間のうち、選択電圧を印加する画素の階調に応じた期間だけ時間的に後方に
寄せて印加し、当該後半期間のうち前記オン電圧を印加しない期間において所定のオフ電
圧を印加し、かつ、当該水平走査期間の前半期間において、当該後半期間における前記オ
ン電圧と前記オフ電圧とを入れ替えた波形を予め印加し、前記複数のデータ線のうち奇数
または偶数列の他方に属するデータ線に対し、前記オン電圧を、当該後半期間のうち、選
択電圧を印加する画素の階調に応じた期間だけ時間的に前方に寄せて印加し、当該後半期
間のうち前記オン電圧を印加しない期間において前記オフ電圧を印加し、かつ、当該水平
走査期間の次の水平走査期間の前半期間において、当該後半期間における前記オン電圧と
前記オフ電圧とを入れ替えた波形を印加する一方、前記正極性または負極性の他方の選択
電圧を印加する場合、前記複数のデータ線のうち奇数または偶数列の一方に属するデータ
線に対し、前記オン電圧を、当該後半期間のうち、選択電圧を印加する画素の階調に応じ
た期間だけ時間的に前方に寄せて印加し、当該後半期間のうち前記オン電圧を印加しない
期間において前記オフ電圧を印加し、かつ、当該水平走査期間の前半期間において、当該
後半期間における前記オン電圧と前記オフ電圧とを入れ替えた波形を予め印加し、前記複
数のデータ線のうち奇数または偶数列の他方に属するデータ線に対し、前記オン電圧を、
当該後半期間のうち、選択電圧を印加する画素の階調に応じた期間だけ時間的に後方に寄
せて印加し、当該後半期間のうち前記オン電圧を印加しない期間において前記オフ電圧を
印加し、かつ、当該水平走査期間の次の水平走査期間の前半期間において、当該後半期間
における前記オン電圧と前記オフ電圧とを入れ替えた波形を印加することを特徴とする。
この駆動方法において、走査線に対し、水平走査期間の前半期間において選択電圧を印加
しても良いし、選択電圧の印加期間の全域にわたってオンまたはオフ電圧を印加しても良
い。本発明によれば、縦クロストークと横クロストークとによる表示品位を解消するとと
もに、低消費電力化を図ることも可能となる。
なお、本発明は、電気光学装置の駆動方法に限られず、電気光学装置の駆動回路や、電
気光学装置、当該電気光学装置を有する電子機器としても概念することが可能である。
【発明を実施するための最良の形態】
【０００６】
以下、本発明の実施形態について図面を参照して説明する。
【０００７】
＜全体構成＞
図１は、本発明の実施形態に係る電気光学装置の構成を示すブロック図である。同図に
示されるように、電気光学装置１０は、電気光学パネル１００と、制御回路４００と、階
調制御パルス生成回路４５０と、電圧生成回路５００とを有する。
このうち、電気光学パネル１００は、Ｘ方向（行方向）に延在する３２０行の走査線３
１２が形成された対向基板と、Ｙ方向（列方向）に延在する２４０列のデータ線２１２が
形成された素子基板とが互いに対向するように貼り合わされ、これらの基板の間隙に液晶
が封止された構成となっている。
走査線３１２は、ＩＴＯ（Indium Tin Oxide）などの光透過性を有する導電性材料を帯
状にパターニングした電極である。走査線３１２とデータ線２１２とが平面的にみて交差
する各地点には、それぞれ画素１１６が形成される。したがって、本実施形態において、
画素１１６は、縦３２０行×横２４０列のマトリクス状に配列するが、本発明をこの配列
に限定する趣旨ではない。
【０００８】
ここで、説明の便宜上、画素１１６の構成について説明する。図２は、画素１１６の構
成を示す図である。いずれも、ｉ行目及びこれに隣接する（ｉ＋１）行目と、ｊ列目及び
これに隣接する（ｊ＋１）列目との交差に対応する２×２の計４画素分の構成が示されて
いる。
なお、ｉ、（ｉ＋１）は、画素１１６が配列する走査線の行を一般的に示す場合の記号
であり、１以上３２０以下の整数であって、ここでは特にｉを奇数（１、３、５、…、３
１９）とし、（ｉ＋１）を偶数（２、４、６、…、３２０）としている。また、ｊ、（ｊ
＋１）は、画素１１６が配列するデータ線の列を一般的に示す場合の記号であり、１以上
２４０以下の整数であって、ここでは特にｊを奇数（１、３、５、…、２１９）とし、（
ｊ＋１）を偶数（２、４、６、…、２４０）としている。
【０００９】
さて、図２において、各画素１１６は、それぞれ走査線３１２とデータ線２１２との交
差部分において、ＴＦＤ（Thin Film Diode）素子２２０と液晶容量１１８との直列接続
を電気的に介挿した構成となっている。
このうち、ＴＦＤ素子２２０は、導電体／絶縁体／導電体の積層構造を有し、電流−電
圧特性が正負の双方向にわたって非線形となるダイオードスイッチング特性を有する。液
晶容量１１８は、画素電極１１９を一方の電極とし、走査線３１２を他方の電極として、
両電極で液晶を挟持した構成である。ここで、画素電極１１９は、素子基板の表面に形成
された略矩形状の電極であり、同一行の画素１行分における画素電極１１９は、当該行の
走査線３１２にそれぞれ対向するように配列する。
【００１０】
この画素１１６において、走査線３１２に、後述する選択電圧±Ｖsのいずれか一方が
印加されると、データ線２１２に印加されるデータ信号の電圧にかかわらず、当該走査線
およびデータ線の交差に対応するＴＦＤ素子２２０が強制的に導通状態（オン）となり、
オンしたＴＦＤ素子２２０を介して、液晶容量１１８には、当該選択電圧および当該デー
タ信号の電圧の差に応じた電圧が充電される。この後、走査線３１２に非選択電圧±Ｖd
のいずれかが印加されると、当該ＴＦＤ素子２２０は非導通状態（オフ）となり、液晶容
量１１８における電圧保持状態が維持される。
液晶容量１１８では、保持された電圧に応じて液晶の配向状態が変化するので、偏光子
（図示省略）を通過する光量は、当該液晶容量１１８に保持された電圧実効値で定まる。
このため、当該選択電圧が印加されたときのデータ線の電圧（本実施形態では、オン電圧
およびオフ電圧の時間的配分）によって、液晶容量１１８に保持される電圧が画素毎に制
御されて、所定の階調が表示されることになる。
なお、本実施形態では説明の便宜上、当該電圧実効値が小さいと、光の透過率が大きく
なって白色表示になる一方、電圧実効値が大きくなるにつれて透過する光量が減少し、つ
いには黒色表示になるノーマリーホワイトモードとする。また、ここでいう電圧実効値の
基準となる単位期間は、例えば１フレーム（１Ｆ）の期間である。
【００１１】
ここで、走査線に選択電圧が印加される期間において、データ信号を、階調値に応じて
当該期間にわたって一定のアナログ電圧とすると、階調値に応じて多数の電圧を用意する
必要があり、電圧生成回路の複雑化を招く。このため、図２に示されるような画素の構成
では、データ線の電圧を、異なる２つの電圧、ここでは、（非選択電圧と兼用する）電圧
±Ｖdの印加期間の割合で規定する、すなわち、パルス幅変調で制御する方式が一般的と
なる。
【００１２】
このように階調表示をパルス幅変調により行う場合に、選択電圧の印加期間におけるパ
ルスの印加タイミングに着目したとき、当該選択電圧と逆極性の関係にあるオン電圧を、
時間的に後方に寄せる後縁方式（右寄せ方式ともいう）、および、時間的に前方に寄せる
前縁方式（左寄せともいう）に大別ができる。すなわち、後縁方式とは、オン電圧の印加
期間を、選択電圧の印加終了時を基準にして階調値に応じた期間だけ時間的前方に延ばし
たものであり（換言すれば、オフ電圧の印加期間を、選択電圧の印加開始時を基準にして
階調値に応じた期間だけ時間的後方に延ばしたものであり）、反対に、前縁方式とは、オ
ン電圧の印加期間を、選択電圧の印加開始時を基準にして階調値に応じた期間だけ時間的
後方に延ばしたものである（換言すれば、オフ電圧の印加期間を、選択電圧の印加終了時
を基準にして階調値に応じた期間だけ時間的前方に延ばしたものである）。
なお、選択電圧には、正極性の電圧＋Ｖsと負極性の電圧−Ｖsとの２種類があるので、
オン電圧は、正極性の電圧＋Ｖsの印加期間においては負極性の電圧−Ｖdとなり、負極性
の電圧−Ｖsの印加期間においては正極性の電圧＋Ｖdとなる。また、オン電圧の反対の概
念としてオフ電圧がある。このオフ電圧は、正極性の電圧＋Ｖsの印加期間においては同
一の正極性の電圧＋Ｖdとなり、負極性の電圧−Ｖsの印加期間においては同一の負極性の
電圧−Ｖdとなる。
【００１３】
説明を図１に戻すと、制御回路４００は、図示省略した上位回路から供給される制御信
号Ｃontにしたがって各種の制御信号を生成し、電気光学パネル１００に供給する。階調
制御パルス生成回路４５０は、上記制御信号Ｃontにしたがって後縁方式用の階調制御パ
ルスＧcp-aと前縁方式用の階調制御パルスＧcp-bとをそれぞれ個別に生成して、電気光学
パネル１００に供給する。なお、制御回路４００によって生成される信号や、階調制御パ
ルスＧcp-a、Ｇcp-bについては、後述するものとする。
電圧生成回路５００は、電圧±Ｖs、±Ｖdを生成して、電気光学パネル１００に供給す
る。本実施形態では、電圧±Ｖsは、上述したように走査信号の選択電圧として用いられ
、電圧±Ｖdは、走査信号の非選択電圧とデータ信号の電圧とで兼用される。このため、
走査線駆動回路３５０には、電圧±Ｖsおよび電圧±Ｖdの双方が供給され、データ線駆動
回路２５０には、電圧±Ｖdのみが供給される。なお、走査信号の非選択電圧とデータ信
号とを兼用することなく、別々の電圧値を用いても良い。
一方、電気光学パネル１００には、走査線駆動回路３５０とデータ線駆動回路２５０と
が素子基板に実装される。
【００１４】
＜走査線駆動回路＞
次に、走査線駆動回路３５０について説明する。走査線駆動回路３５０は、水平走査期
間（１Ｈ）ごとに各走査線３１２を順次に選択するとともに、選択した走査線３１２に対
し、本実施形態では水平走査期間（１Ｈ）の後半期間Ｔbにおいて選択電圧±Ｖsのいずれ
かを印加する一方、他の走査線３１２に非選択電圧±Ｖdのいずれかを印加するものであ
る。このため、本実施形態では、水平走査期間（１Ｈ）において、走査線３１２が選択さ
れても、その前半期間Ｔaでは、選択電圧ではなく、非選択電圧が印加されることになる
。
【００１５】
ここで、走査線駆動回路３５０によって、１、２、３、…、３２０行目の走査線３１２
に供給する走査信号を、それぞれＹ1、Ｙ2、Ｙ3、…、Ｙ320と表記し、特に、行を特定し
ないで一般的に説明するときには、上述した符号ｉを用いて、Ｙi、Ｙ(i+1)と表記する。
なお、本実施形態において走査線３１２は対向基板に形成されるが、素子基板と対向基
板とにおいて電気的な接続が導通材によって走査線毎に図られている（図示省略）。この
ため、素子基板に実装された走査線駆動回路３５０は、上記導通材を介して、対向基板に
形成された走査線３１２に走査信号を供給する構成となっている。
【００１６】
走査線駆動回路３５０は、図３に示されるように、フレーム期間（１Ｆ）の最初に供給
されるスタートパルスＤＹを、１周期が水平走査期間（１Ｈ）であるクロック信号ＣＬＹ
にしたがって順次シフトして、そのシフト信号（図示省略）によって走査線３１２を１水
平走査期間毎に順番に選択する。
そして、走査線駆動回路３５０は、各走査線３１２に対し、選択に応じて、次のように
電圧を印加する。すなわち、走査線駆動回路３５０は、ある水平走査期間（１Ｈ）におい
て選択した走査線３１２に対し、極性指示信号ＦＲ-aがＨレベルであれば、その水平走査
期間の後半期間Ｔb（０．５Ｈ）にて、正極性の選択電圧＋Ｖsを印加し、当該期間経過後
に非選択電圧＋Ｖdを印加する一方、極性指示信号ＦＲ-aがＬレベルであれば、選択した
水平走査期間の後半期間Ｔbにて、負極性選択電圧−Ｖsを印加し、当該期間経過後、非選
択電圧−Ｖdを選択する。
【００１７】
なお、極性指示信号ＦＲ-aは、Ｈレベルであれば選択電圧の正極性を指定し、Ｌレベル
であれば負極性を指定する信号であり、図３に示されるように、同一のフレーム期間（１
Ｆ）では、１水平走査期間（１Ｈ）毎に極性反転するとともに、隣接するフレーム期間同
士において同一の水平走査期間に着目しても極性反転の関係にある。ここで、選択電圧を
極性反転する理由は、液晶に直流成分が印加されることによる劣化を防止するためである
。
また、極性については、選択電圧＋Ｖs、−Ｖsの中間値である電位Ｖc（電圧ゼロ）を
基準にして高位側を正極性とし、低位側を負極性としている。
【００１８】
このため、走査信号Ｙ1、Ｙ2、Ｙ3、…、Ｙ320の波形は、図３に示される通りとなる。
詳細には、ｉ行目の走査線３１２に供給される走査信号Ｙiは、あるフレーム期間（１Ｆ
）のうちｉ番目の水平走査期間において、極性指示信号ＦＲ-aがＨレベルであれば、その
後半期間Ｔbにおいて選択電圧＋Ｖsとなり、その後に、当該選択電圧＋Ｖsと同極性の非
選択電圧＋Ｖdとなる。一方、次の（ｉ＋１）行目の走査線３１２に供給される走査信号
Ｙ(i+1)は、第１に、（ｉ＋１）番目の水平走査期間の後半期間Ｔbにおいて、走査信号Ｙ
iの選択電圧とは逆極性の選択電圧−Ｖsとなり、その後に、当該選択電圧−Ｖsと同極性
の非選択電圧−Ｖdとなる。
すなわち、互いに隣接する走査線３１２の各々に対して各水平走査期間の後半期間Ｔb
にて逆極性の選択電圧（電圧＋Ｖsまたは電圧−Ｖs）が交互に印加され、各水平走査期間
が経過した後にはその水平走査期間にて印加されていた選択電圧と同極性の非選択電圧（
電圧＋Ｖdまたは電圧−Ｖd）が印加されるというサイクルが繰り返される。
一方、時間軸上にて互いに隣接するフレーム期間において、同じ走査信号の選択電圧の
極性は逆転する。例えば、あるフレームにおいて走査信号Ｙiが正極性の選択電圧＋Ｖsと
なったとき、１フレーム期間後経過では負極性の選択電圧−Ｖsとなる。
【００１９】
なお、極性指示信号ＦＲ-bは、走査線駆動回路３５０では用いられないが、図３に示さ
れるように、極性指示信号ＦＲ-aに対して、位相が９０度（０．５Ｈ）だけ遅延した関係
にある。
【００２０】
＜データ線駆動回路＞
次に、データ線駆動回路２５０について説明する。データ線駆動回路２５０は、走査線
駆動回路３５０によって、ある行の走査線３１２が選択される水平走査期間において、当
該走査線に位置する１行分の画素１１６に対し、その階調値に応じたパルス幅のデータ信
号を、データ線２１２を介して供給するものである。
ここで、１、２、３、…、２４０列目のデータ線２１２に供給されるデータ信号を、そ
れぞれＸ1、Ｘ2、Ｘ3、…、Ｘ240と表記している。また、列を特定しないでデータ信号を
表記する場合には、上述した符号ｊ、（ｊ＋１）を用いて、Ｘj、Ｘ(j+1)というように表
記する。
【００２１】
図４は、データ線駆動回路２５０の構成を示すブロック図である。この図においてメモ
リ２５２は、縦３２０行×横２４０列のマトリクス配列に対応した記憶領域を有し、各記
憶領域は、それぞれ対応する画素１１６の階調（明るさ）を指定する階調データＤsを記
憶する一方、ある１行の走査線３１２が選択される水平走査期間の開始時に、当該走査線
に位置する画素１行分の階調データがラッチパルスＬＰによって読み出される構成となっ
ている。
ここで、階調データは、本実施形態では３ビットであり、画素の階調値を最も暗い状態
のＧ０から、最も明るい状態のＧ７までの８段階で規定する。上述したように、本実施形
態では、液晶容量１１８の電圧実効値が小さくなるにつれて明るくなるノーマリーホワイ
トモードとしているので、階調値Ｇ７の場合に液晶容量１１８の電圧実効値が最も小さく
なり、階調値が減少するにつれて、当該電圧実効値が徐々に大きくなり、階調値Ｇ０の場
合に当該電圧実効値が最大となるような制御が実行される。なお、表示内容が変更される
場合、上位回路から書込アドレスとともに、変更後の階調値を指定する階調データＤsが
供給されて、対応する領域に記憶された階調データＤsが書き換えられる構成となってい
る。
【００２２】
遅延回路２５４は、本実施形態では偶数列だけに対応して設けられ、メモリ２５２から
読み出された階調データを、水平走査期間の半分期間（０．５Ｈ）だけ遅延させるもので
ある。
なお、メモリ２５２から読み出された画素１行分の階調データのうち、奇数列の階調デ
ータをＤaと表記し、０．５Ｈだけ遅延した階調データをＤbと表記する場合がある。
【００２３】
ここで、階調制御パルスＧcp-aは、後縁方式のデータ信号を生成する場合に用いるもの
であり、図５または図６に示されるように、１水平走査期間の前半期間Ｔaおよび後半期
間Ｔbのそれぞれにおいて、最低階調値Ｇ０および最高階調値Ｇ７を除いて階調値Ｇ１、
Ｇ２、…、Ｇ６の順に対応するような配列で出力される。このため、階調制御パルスＧcp
-aの配列は、特に後半期間Ｔbにあっては、後縁方式のデータ信号を規定するに際して階
調値Ｇ１、Ｇ２、…、Ｇ６の各々に対応するオン電圧の印加開始タイミングを規定するこ
とになる。
また、階調制御パルスＧcp-bは、前縁方式のデータ信号を生成する場合に用いるもので
あり、図５または図６に示されるように、１水平走査期間の前半期間Ｔaおよび後半期間
Ｔbのそれぞれにおいて、最高階調値Ｇ７および最低階調値Ｇ０を除いて階調値Ｇ６、Ｇ
５、…、Ｇ１の順に対応するような配列で出力される。このため、階調制御パルスＧcp-b
の配列は、選択電圧が印加される後半期間Ｔbにおいて、後縁方式のデータ信号を規定す
るに際して、階調値Ｇ６、Ｇ５、…、Ｇ１の各々に対応するオン電圧の印加終了タイミン
グを規定することになる。
なお、図における階調コードパルスＧcp-aおよびＧcp-bの配列は、実際には、液晶容量
１１８の電圧実効値−透過率特性（Ｖ−Ｔ特性）などを考慮して設定される。また、階調
値Ｇ０については、選択電圧が印加される後半期間Ｔbの全域にわたってオン電圧を印加
し、また、階調値Ｇ７については、当該後半期間Ｔbの全域にわたってオフ電圧を印加す
るので、本実施形態では、階調値Ｇ０、Ｇ７に対応する階調制御パルスが存在しない。
【００２４】
一方、信号ｄＲＬは、奇数列において階調制御パルスＧcp-a、Ｇcp-bのいずれかを用い
るのかを指定する信号である。なお、本実施形態では、信号ｄＲＬは、図５に示されるよ
うに実質的に極性指示信号ＦＲ-aと同一である。
信号ＲＬは、図５に示される信号ｄＲＬの位相を９０度進めた（２７０度遅らせた）関
係にある信号であり（図６参照）、偶数列において階調制御パルスＧcp-a、Ｇcp-bのいず
れかを用いるのかを指定する信号である。
【００２５】
さて、データ線駆動回路２５０においては、奇数列に対応して双投型のスイッチ２５６
が設けられ、偶数列に対応して同じく双投型のスイッチ２５８が設けられる。奇数列の双
投スイッチ２５６は、信号ｄＲＬがＨレベルであれば、階調制御パルスＧcp-aを選択し、
信号ｄＲＬがＬレベルであれば、階調制御パルスＧcp-bを選択する一方、偶数列の双投ス
イッチ２５８は、信号ＲＬがＨレベルであれば、階調制御パルスＧcp-aを選択し、信号Ｒ
ＬがＬレベルであれば、階調制御パルスＧcp-bを選択して、それぞれ選択したものを対応
する列における階調制御パルスＧcpとして出力するものである。
【００２６】
したがって、奇数列のスイッチ２５６によって選択された階調制御パルスＧcpは、図５
に示されるように、ある走査線３１２が水平走査期間（１Ｈ）で選択されて、その後半期
間Ｔbにおいて（極性指示信号ＦＲ-aがＨレベルであるために）正極性の選択電圧＋Ｖsが
印加される場合、当該水平走査期間（１Ｈ）の前半期間Ｔaおよび後半期間Ｔbにわたって
後縁方式の階調制御パルスＧcp-aとなる一方、後半期間Ｔbにおいて負極性の選択電圧−
Ｖsが印加される水平走査期間では、その前半期間Ｔaおよび後半期間Ｔbにわたって前縁
方式の階調制御パルスＧcp-bとなる。
また、偶数列のスイッチ２５８によって選択された階調制御パルスＧcpは、図６に示さ
れるよう、ある走査線３１２が水平走査期間で選択されて、その後半期間Ｔbにおいて正
極性の選択電圧＋Ｖsが印加される場合、当該水平走査期間の後半期間Ｔbから次の水平走
査期間の前半期間Ｔaまでにわたって前縁方式の階調制御パルスＧcp-bとなる一方、後半
期間Ｔbにおいて負極性の選択電圧−Ｖsが印加される場合、その水平走査期間の後半期間
Ｔbから次の水平走査期間の前半期間Ｔaまでにわたって後縁方式の階調制御パルスＧcp-a
が選択されることになる。
【００２７】
ここで、奇数列のスイッチ２５６によって選択された階調制御パルスＧcpは、信号ｄＲ
Ｌとともに、次に説明するデコーダ２６０に供給されるので、当該デコーダでは、スイッ
チ２５６によって選択された階調制御パルスＧcpが、後縁方式用であるのか前縁方式用で
あるのかを知ることができる。偶数列のデコーダ２６０においても同様である。
【００２８】
デコーダ２６０は、各列に対応して設けられるものであり、ある列に対応するデコーダ
は、当該列に対応する階調データ等から当該列に対応するデータ信号を生成するものであ
る。
このうち、奇数列のデコーダ２６０は、メモリ２５２から読み出された階調データＤa
から、各種制御信号を用いてデータ信号を生成する一方、偶数列のデコーダ２６０は、奇
数列に対して水平走査期間の半分期間（０．５Ｈ）だけ遅延した階調データＤbから、各
種制御信号を用いてデータ信号を生成する。
【００２９】
奇数列のデコーダ２６０において用いられる制御信号について説明すると、ラッチパル
スＬＰは、図５に示されるように、水平走査期間（１Ｈ）の開始を規定する信号であり、
リセット信号Ｒesは、同図に示されるように１水平走査期間の前半期間Ｔaおよび後半期
間Ｔbの各開始時を規定する信号である。極性指示信号ＦＲ-aは、上述したように、ある
１行の走査線３１２が選択される水平走査期間において、その後半期間での選択信号の極
性を指定する信号である（図３、図５参照）。信号ＭＸ-aは、図５に示されるように、極
性指示信号ＦＲ-aの位相を９０度進めた（２７０度遅らせた）信号である。
【００３０】
このような制御信号を用いて、奇数ｊ列のデコーダ２６０は、１水平走査期間（１Ｈ）
の開始時において、メモリ２５２から読み出されたｊ列の階調データＤaが最低階調値Ｇ
０および最高階調値Ｇ７以外の階調値を指定する場合、次のようにデータ信号Ｘjの電圧
を規定する。
すなわち、奇数ｊ列のデコーダ２６０は、データ信号Ｘjについて、水平走査期間の前
半期間Ｔaの開始時にラッチパルスＬＰが出力されたときに、第１に、負極性の電圧−Ｖd
にリセットし、第２に、階調制御パルスＧc pのうち、階調データＤaで指定された階調値
に対応するものが出力されたタイミングにて、正極性の電圧＋Ｖdにセットし、第３に、
当該水平走査期間の後半期間Ｔbに至ったとき、階調制御パルスＧcpのうち、当該階調デ
ータＤaで指定された階調値に対応するものが再び出力されたとき、負極性の電圧−Ｖdに
再セットする。
【００３１】
なお、階調コードパルスＧcpは、後縁方式用と前縁方式用とで、階調値に対応するパル
スの順番が逆転しているが、いずれの方式の階調制御パルスが供給されているのかについ
ては、奇数列については、上述したように信号ｄＲＬによって識別できる。このため、デ
コーダ２６０内に、リセット信号Ｒesによってカウント結果をリセットまたはセットする
とともに、信号ｄＲＬの論理レベルにしたがって、階調制御パルスをアップまたはダウン
カウントして、当該カウント結果が、階調データＤaで指定された階調値に一致したとき
に、階調値に対応するタイミングを判別することができる。
例えば、信号ｄＲＬがＨレベルであれば、後縁方式の階調制御パルスＧcp-aが供給され
ているので、信号Ｒesが出力されたときにカウント結果を「０」にリセットするとともに
、当該階調制御パルスをアップカウントすれば、当該カウント結果が階調データＤaで指
定された階調値に一致したときが、階調値に対応するタイミングとなるし、信号ｄＲＬが
Ｌレベルであれば、前縁方式の階調制御パルスＧcp-bが供給されているので、信号Ｒesが
出力されたときにカウント結果を「７」にセットするとともに、当該階調制御パルスをダ
ウンカウントすれば、当該カウント結果が階調データＤaで指定された階調値に一致した
ときが、階調値に対応するタイミングとなる。
【００３２】
一方、奇数ｊ列のデコーダ２６０は、水平走査期間（の前半期間Ｔa）の開始時におい
て、メモリ２５２から読み出されたｊ列の階調データＤaが最低階調値Ｇ０を指定する場
合、データ信号Ｘjを、信号ＭＸ-aの論理レベルに対応する電圧とする。すなわち、奇数
ｊ列のデコーダ２６０は、信号ＭＸ-aがＨレベルとなる期間にわたってデータ信号Ｘjを
電圧＋Ｖdとし、信号ＭＸ-aがＬレベルとなる期間にわたってデータ信号Ｘjを電圧−Ｖd
とする。
また、奇数ｊ列のデコーダ２６０は、水平走査期間（の前半期間Ｔa）の開始時におい
て、メモリ２５２から読み出されたｊ列の階調データＤaが最高階調値Ｇ７を指定する場
合、データ信号Ｘjを、信号ＭＸ-aを反転させた論理レベルに対応する電圧とする。すな
わち、奇数ｊ列のデコーダ２６０は、信号ＭＸ-aがＨレベルとなる期間にわたってデータ
信号Ｘjを電圧−Ｖdとし、信号ＭＸ-aがＬレベルとなる期間にわたってデータ信号Ｘjを
電圧＋Ｖdとする。
【００３３】
次に、偶数列のデコーダ２６０において用いられる制御信号について説明すると、ラッ
チパルスｄＬＰは、図４に示される遅延回路２６２によって、ラッチパルスＬＰを水平走
査期間の半分期間（０．５Ｈ）だけ遅延させた信号である（図５、図６参照）。リセット
信号Ｒesは、奇数列のデコーダ２６０と共通である。極性指示信号ＦＲ-bは、図３、図６
に示されるように、極性指示信号ＦＲ-aの位相を９０度遅らせた関係にある信号であり、
信号ＭＸ-bは、図６に示されるように、極性指示信号ＦＲ-bの位相を９０度進めた（２７
０度遅らせた）関係にある信号である。
このような制御信号を用いて、偶数（ｊ＋１）列のデコーダ２６０は、１水平走査期間
の後半期間Ｔbの開始時において、遅延回路２５４から読み出されたｊ列の階調データＤa
が最低階調値Ｇ０および最高階調値Ｇ７以外の階調値を指定する場合、次のようにデータ
信号Ｘ(j+1)の電圧を規定する。
すなわち、偶数（ｊ＋１）列のデコーダ２６０は、データ信号Ｘ(j+1)について、水平
走査期間の後半期間Ｔbの開始時にラッチパルスｄＬＰが出力されたときに、第１に、負
極性の電圧−Ｖdにリセットし、第２に、階調制御パルスＧcpのうち、階調データＤbで指
定された階調値に対応するものが出力されたタイミングにて、正極性の電圧＋Ｖdにセッ
トし、第３に、次の水平走査期間の前半期間Ｔaに至ったとき、階調制御パルスＧcpのう
ち、当該階調データＤbで指定された階調値に対応するものが再び出力されたとき、負極
性の電圧−Ｖdに再セットする。
なお、偶数（ｊ＋１）列目のデコーダ２６０に供給される階調コードパルスＧcpは、後
縁方式用と前縁方式用とで、階調値に対応するパルスの順番が逆転しているが、いずれの
方式の階調制御パルスが供給されているのかについては、偶数列においては上述したよう
に信号ＲＬによって識別できるので、奇数ｊ列目のデコーダ２６０と同様にして、階調値
に対応するタイミングを検出することができる。
【００３４】
一方、偶数（ｊ＋１）列のデコーダ２６０は、水平走査期間（１Ｈ）の後半期間Ｔbの
開始時において、遅延回路２５４により遅延させた（ｊ＋１）列の階調データＤbが最低
階調値Ｇ０を指定する場合、データ信号Ｘ(j+1)を、信号ＭＸ-bを反転させた論理レベル
に対応する電圧とする。すなわち、偶数（ｊ＋１）列のデコーダ２６０は、信号ＭＸ-bが
Ｈレベルとなる期間にわたってデータ信号Ｘjを電圧−Ｖdとし、信号ＭＸ-bがＬレベルと
なる期間にわたってデータ信号Ｘjを電圧＋Ｖdとする。
また、偶数（ｊ＋１）列のデコーダ２６０は、水平走査期間（１Ｈ）の後半期間Ｔbの
開始時において、遅延回路２５４により遅延させた（ｊ＋１）列の階調データＤaが最高
階調値Ｇ７を指定する場合、データ信号Ｘ(j+1)を、信号ＭＸ-bの論理レベルに対応する
電圧とする。すなわち、偶数（ｊ＋１）列のデコーダ２６０は、信号ＭＸ-bがＨレベルと
なる期間にわたってデータ信号Ｘjを電圧＋Ｖdとし、信号ＭＸ-bがＬレベルとなる期間に
わたってデータ信号Ｘjを電圧−Ｖdとする。
【００３５】
ここで、階調データＤaで指定される階調値に対する奇数ｊ列のデータ信号Ｘjの電圧波
形の例を図５に、階調データＤbで指定される階調値に対する偶数（ｊ＋１）列のデータ
信号Ｘ(j+1)の電圧波形の例を図６に、それぞれ代表階調値毎に示す。
すなわち、図５に示されるように、奇数ｊ列のデータ信号Ｘjの電圧波形では、水平走
査期間の後半期間Ｔbにおいて正極性の選択電圧＋Ｖsが印加される場合であれば、当該選
択電圧＋Ｖsとは逆極性である負極性のオン電圧−Ｖdの印加期間が、階調値が大きくなる
につれて、すなわち、ノーマリーブラックモードにおいて階調を暗くするにつれて、水平
走査期間の後半期間Ｔbの終了時を基準にして時間的に前方に延びることになる（後縁方
式）。
また、奇数ｊ列のデータ信号Ｘjの電圧波形では、水平走査期間の後半期間Ｔbにおいて
負極性の選択電圧−Ｖsが印加される場合であれば、当該選択電圧−Ｖsとは逆極性である
正極性のオン電圧＋Ｖdの印加期間が、階調値が大きくなるにつれて、水平走査期間の後
半期間Ｔbの開始時を基準にして時間的に後方に延びることになる（前縁方式）。
なお、奇数ｊ列のデータ信号Ｘjは、水平走査期間の後半期間Ｔbにおいて規定された電
圧＋Ｖd、−Ｖdとなる期間の比率とは逆の比率で、同一水平走査期間の前半期間Ｔaにお
いて印加される電圧＋Ｖd、−Ｖdの期間が規定される。
【００３６】
一方、図６に示されるように、偶数（ｊ＋１）ｊ列のデータ信号Ｘ(j+1)の電圧波形で
は、水平走査期間の後半期間Ｔbにおいて正極性の選択電圧＋Ｖsが印加される場合であれ
ば、オン電圧−Ｖdの印加期間が、階調値が大きくなるにつれて、水平走査期間の後半期
間Ｔbの開始時を基準にして時間的に後方に延びることになる（前縁方式）。
また、偶数（ｊ＋１）列のデータ信号Ｘ(j+1)の電圧波形では、水平走査期間の後半期
間Ｔbにおいて負極性の選択電圧−Ｖsが印加される場合であれば、オン電圧＋Ｖdの印加
期間が、階調値が大きくなるにつれて、水平走査期間の後半期間Ｔbの終了時を基準にし
て時間的に前方に延びることになる（後縁方式）。
なお、偶数（ｊ＋１）列のデータ信号Ｘ(j+1)は、水平走査期間の後半期間Ｔbにおいて
規定された電圧＋Ｖd、−Ｖdとなる期間の比率とは逆の比率で、次の水平走査期間の前半
期間Ｔaにおいて印加される電圧＋Ｖd、−Ｖdの期間が規定される。
また、図５および図６においては、階調値Ｇ１、Ｇ２およびＧ６に対応するデータ信号
の波形については省略している。なお、データ信号においてハッチングを付した期間がオ
ン電圧の印加期間を示している。
【００３７】
本実施形態では、図５に示される奇数ｊ列のデータ信号Ｘjと、図６に示される偶数（
ｊ＋１）列のデータ信号Ｘ(j+1)とは、同じ階調値が指定されたときに、水平走査期間の
半分期間（０．５Ｈ）だけシフトした関係となる。
したがって、奇数ｊ列を通常と考えると、偶数（ｊ＋１）列は、０．５Ｈシフトした関
係となる。
さらに、ｉ行目の走査線が選択されて、水平走査期間の後半期間Ｔbにおいて正極性の
選択電圧＋Ｖsが印加される場合、奇数ｊ列のデータ信号Ｘjは後縁方式となり、偶数（ｊ
＋１）列のデータ信号Ｘ(j+1)は前縁方式となり、次の（ｉ＋１）行目の走査線が選択さ
れたときに、後半期間Ｔbにおいて印加される選択電圧は、負極性の選択電圧−Ｖsになる
とともに、奇数ｊ列のデータ信号Ｘjは前縁方式となり、偶数（ｊ＋１）列のデータ信号
Ｘ(j+1)は後縁方式となる。
したがって、画素への書き込みは、図９（ａ）に示されるような関係となる。
【００３８】
一方、ｉ行目の走査線が選択されたときに、後半期間Ｔbにおいて印加される選択電圧
は、負極性の選択電圧−Ｖsになるとともに、奇数ｊ列のデータ信号Ｘjは前縁方式となり
、偶数（ｊ＋１）列のデータ信号Ｘ(j+1)は後縁方式となる。次の（ｉ＋１）行目の走査
線が選択されたときに、後半期間Ｔbにおいて印加される選択電圧は、正極性の選択電圧
＋Ｖsになるとともに、奇数ｊ列のデータ信号Ｘjは後縁方式となり、偶数（ｊ＋１）列の
データ信号Ｘ(j+1)は前縁方式となる。
ｉ行目の走査線に印加される選択電圧は、１フレーム毎に反転するので、図９（ａ）に
示されるような画素への書き込みがｎフレームにて行われたとすると、次の（ｎ＋１）フ
レームでは、図９（ｂ）に示されるような関係となる。
【００３９】
＜縦クロストークの解消＞
ところで、３２０列のデータ線２１２は互いに近接して配置されるから、各データ線２
１２は、これに隣接する他のデータ線２１２と互いに容量的に結合する。したがって、各
データ線２１２の電圧がオン電圧およびオフ電圧の一方から他方に切り替わると、このデ
ータ線２１２に隣接する他のデータ線２１２の電圧も変動することになる。
ここで、奇数ｊ列のデータ信号Ｘjに対して、偶数（ｊ＋１）列のデータ信号Ｘ(j+1)を
０．５Ｈシフトさせないとともに、すべてのデータ信号を後縁方式で統一した従来の構成
（以下「対比構成」という）では、データ線２１２の電圧変動に起因して縦クロストーク
が発生するという問題がある。この問題について詳述すると以下の通りである。
【００４０】
図１４は、対比構成において、奇数ｊ列のデータ信号Ｘjと、これに隣接する偶数（ｊ
＋１）列のデータ信号Ｘ(j+1)との波形を、走査信号Ｙi、Ｙ（i+1）との関係で示す図で
ある。
ここで、対比構成において、ｊおよび（ｊ＋１）列の画素を連続して最低階調値Ｇ０と
する場合、理想的であれば、例えばｉ行目の走査線３１２が選択される水平走査期間の後
半期間Ｔbにおいて走査信号Ｙiが選択電圧＋Ｖsとなるとき、データ信号ＸjおよびＸ(j+1
)は、当該後半期間Ｔbにわたって電圧−Ｖdとなり、その前半期間Ｔaで電圧＋Ｖdとなる
。
次の（ｉ＋１）行目の走査線３１２が選択される水平走査期間の後半期間Ｔbにおいて
、走査信号Ｙ(i+1)は選択電圧−Ｖsとなるので、データ信号ＸjおよびＸ(j+1)は、当該後
半期間Ｔbにわたって電圧＋Ｖdとなり、その前半期間Ｔaで電圧−Ｖdとなる。
この場合、互いに隣接する列同士のデータ信号Ｘj、Ｘ(j+1)は、いずれも同一のタイミ
ングで、電圧＋Ｖd、−Ｖdの一方から他方に切り替わるので、実際には、データ信号Ｘj
は、電圧−Ｖdから電圧＋Ｖdに切り替わるタイミングにおいて、データ信号Ｘ(j+1)にお
ける電圧上昇に伴って、本来の電圧＋ＶdよりもΔＶだけ高い電圧まで上昇する。反対に
、データ信号Ｘjは、電圧＋Ｖdから電圧−Ｖdに切り替わるタイミングにおいて、データ
信号Ｘ(j+1)における電圧下降に伴って、本来の電圧−ＶdよりもΔＶだけ低い電圧まで下
降する。
同様に、データ信号Ｘ(j+1)についてもは、データ信号Ｘjの電圧変動の影響を受けるの
で、電圧−Ｖdから電圧＋Ｖdに切り替わるタイミングでは、電圧＋ＶdよりもΔＶだけ高
い電圧まで上昇する一方、電圧＋Ｖdから電圧−Ｖdに切り替わるタイミングでは、電圧−
ＶdよりもΔＶだけ低い電圧まで下降する。このため、データ信号Ｘj、Ｘ(j+1)の電圧振
幅は、理想的な振幅である２Ｖdよりも、２ΔＶだけ大きい２（Ｖd＋ΔＶ）となる。
【００４１】
一方、対比構成において、ｊ列の画素を連続して最低階調値Ｇ０とし、（ｊ＋１）列の
画素を連続して最高階調値Ｇ７とする場合、理想的であれば、図１４に示されるように、
データ信号Ｘ(j+1)は、階調値Ｇ０のデータ信号Ｘjの反転波形となる。このため、データ
信号Ｘjが電圧＋Ｖd、−Ｖdの一方から他方に切り替わるタイミングにて、データ信号Ｘ(
j+1)が電圧＋Ｖd、−Ｖdの他方から一方に切り替わるので、実際には電圧相殺によって、
電圧＋ＶdとなるべきところがΔＶだけ低くなり、電圧−ＶdとなるべきところがΔＶだけ
高くなる。このため、データ信号Ｘj、Ｘ(j+1)の電圧振幅は、理想的な振幅である２Ｖd
よりも、２ΔＶだけ小さい２（Ｖd−ΔＶ）となる。
【００４２】
このように、ｊ列目のデータ線２１２の電圧実効値は、隣接する（ｊ＋１）列の画素を
連続して階調値Ｇ０とするときと、連続して階調値Ｇ７とするときとで大きく相違してし
まうことになる。
ここで、ｊ列目のデータ線２１２の電圧は、液晶容量１１８とＴＦＤ素子２２０の容量
とによって容量分割されたうえで当該液晶容量１１８に印加されるが、液晶容量１１８に
保持される電圧実効値は、理想的には、走査線が選択電圧となる後半期間Ｔb、すなわち
ＴＦＤ素子２２０がオンする期間における選択電圧とデータ電圧とだけで定まり、それ以
外の非選択電圧となる期間では、ＴＦＤ素子２２０がオフ状態となるからデータ線電圧の
影響を受けないはずである。
しかしながら、実際のＴＦＤ素子２２０では、非選択電圧が印加されたオフ状態におい
て、理想的にオフ抵抗が無限大とならないので、液晶容量１１８では、少なからずオフリ
ークが発生することになる。
このため、例えばｉ行ｊ列の画素の階調は、ｉ行目の走査線が選択される水平走査期間
の後半期間Ｔbにおける選択電圧と、データ信号Ｘjの電圧とで定まるだけでなく、ｉ行目
の走査線が非選択電圧となる期間におけるデータ信号Ｘjの電圧の影響を受けることにな
る。
【００４３】
したがって、ｊ列における画素を最低階調値Ｇ０で連続させる場合のデータ信号Ｘjの
電圧実効値が、隣接する（ｊ＋１）列における画素を同じ最低階調値Ｇ０で連続させると
きと、これとは異なる最高階調値Ｇ７で連続させるときとで相違する、ということは、最
低階調値Ｇ０とさせるべきｊ列の画素において実際に表示される明るさは、隣接する（ｊ
＋１）列の画素の階調値が同じである場合と、相違する場合とで、大きく異なってしまう
ことになる。
これを別の見方でみると、列が異なる２つの画素を同じ階調で表示させる場合に、当該
２つの画素においてそれぞれ列で隣接する画素の階調が異なるとき、当該２つの画素にお
いて同じ階調が維持できなくなることを意味する。
このようなデータ線２１２における電圧実効値の変動は、データ線２１２を単位として
発生するので、階調値の変化は、縦方向に沿って視認されることになる。これが本件でい
う縦クロストークである。
なお、この対比構成においては、すべてのデータ信号を後縁方式で統一した場合である
が、すべてのデータ信号を前縁方式で統一した場合であっても同様である。
【００４４】
これに対して、本実施形態では、図７に示されるように、ｊ列の画素を連続して最低階
調値Ｇ０とする場合に、（ｊ＋１）列の画素も連続して最低階調値Ｇ０とするとき、デー
タ信号Ｘjは、データ信号Ｘ(j+1)の位相を９０度遅らせた波形となる。このため、データ
信号Ｘjは、負極性側に切り替わった後に、データ信号Ｘ(j+1)における電圧上昇に伴う影
響を受ける一方、正極性側に切り替わった後に、データ信号Ｘ(j+1)における電圧下降に
伴う影響を受けることになる。
一方、ｊ列の画素を連続して最低階調値Ｇ０する場合に、（ｊ＋１）列の画素を連続し
て最高階調値Ｇ７とするとき、逆にデータ信号Ｘjは、データ信号Ｘ(j+1)の位相を９０度
進めた波形となる。このため、データ信号Ｘjは、負極性側に切り替わった後に、データ
信号Ｘ(j+1)における電圧下降に伴う影響を受ける一方、正極性側に切り替わった後に、
データ信号Ｘ(j+1)における電圧上昇に伴う影響を受けることになる。
さらに、ｊ列の画素を連続して最低階調値Ｇ０とする場合に、（ｊ＋１）列の画素を連
続して階調値Ｇ０、Ｇ７とするとき、データ信号Ｘjは、データ信号Ｘ(j+ 1)の位相を９
０度シフトさせた（進めた、または、遅らせた）関係にあるので、隣接するデータ線同士
が同時かつ同一方向に電圧が切り替わることはない。
したがって、本実施形態において、ｊ列の画素を連続して最低階調値Ｇ０とする場合の
データ信号Ｘjの電圧実効値は、隣接する（ｊ＋１）列における画素を同じ最低階調値Ｇ
０で連続させるときと、これとは異なる最高階調値Ｇ７で連続させるときとでほぼ同じと
することができ、これにより上述した縦クロストークの発生を抑えることが可能となる。
【００４５】
＜横クロストークの解消＞
また、各走査線３１２は、３２０列のデータ線２１２と液晶を介して対向しているので
、各列のデータ線２１２と互いに容量的に結合することになる。したがって、各データ線
２１２の電圧がオン電圧およびオフ電圧の一方から他方に切り替わると、走査線３１２の
電圧も変動することになる。
このため、対比構成においては、上述した縦クロストークとは別に、データ線２１２の
電圧変動に起因して横クロストークが発生するという問題もある。この問題について詳述
すると以下の通りである。
【００４６】
図１５は、対比構成において、データ信号Ｘjの波形を、走査信号Ｙi、Ｙ（i+1）との
関係で示す図である。この図に示されるように、対比構成において、ｊ列の画素を連続し
て最低階調値Ｇ０とする場合のデータ信号Ｘjの電圧波形については、上述した通りであ
り、ｊ列の画素を連続して中間階調値、例えば階調値Ｇ４とする場合のデータ信号の電圧
波形については、同図に示されるように、選択電圧の反対極性であるオン電圧が、後半期
間Ｔbにおいて時間的に後縁側に寄せられ、オフ電圧が時間的に前縁側に寄せられた波形
となり前半期間では、後半期間の反転波形となる。
ここで、ｉ行に位置する画素１行分をすべて階調値Ｇ４とする場合、データ信号Ｘ1、
Ｘ2、Ｘ3、…、Ｘ320は、階調値Ｇ４とする場合のデータ信号Ｘjの電圧波形と同じとなる
。このため、例えば後半期間Ｔbにおいて正極性の選択電圧＋Ｖsが走査線に印加される場
合に、３２０列のすべてのデータ線において、選択電圧＋Ｖdが印加される後半期間Ｔbの
途中でオフ電圧＋Ｖdからオン電圧−Ｖdに同時に切り替わることになる。
一方、ｉ行に位置する画素１行分の半分を最低階調値Ｇ０とし、残りの半分を階調値Ｇ
４とする場合、階調値Ｇ０とする画素の列に対応するデータ信号は、最低階調値Ｇ０とす
る場合のデータ信号Ｘjの電圧波形と同じとなり、階調値Ｇ４とする画素の列に対応する
データ信号は、階調値Ｇ４とする場合のデータ信号Ｘjの電圧波形と同じとなる。このた
め、後半期間Ｔbにおいて正極性の選択電圧＋Ｖsが走査線に印加される場合に、当該選択
電圧＋Ｖdが印加される後半期間Ｔbの途中でオフ電圧＋Ｖdからオン電圧−Ｖdに同時に切
り替わるデータ線の数は、１６０列に半減することになる。
【００４７】
上述したように、各データ線２１２の電圧が切り替わると、走査線３１２の電圧も変動
することになるが、その電圧変動は、同じタイミングで電圧が切り替わるデータ線数が多
いほど大きくなる。このため、画素１行分をすべて階調値Ｇ４とする場合と、画素１行分
の半分だけを階調値Ｇ４とする場合とでは、選択電圧の変動量が相違することになってし
まう。上述したように、画素で実際に表示される階調は、選択電圧と、当該選択電圧が印
加される期間のデータ線電圧とで定まるので、選択電圧の相違は、直接的に影響を与える
ことになる。詳細には、画素１行分をすべて階調値Ｇ４とする場合における選択電圧の変
動量は、画素１行分の半分だけを階調値Ｇ４とする場合における選択電圧の変動量よりも
、データ信号の電圧切替方向に大きくなる（正極性の選択電圧＋Ｖsを低くさせ、負極性
の選択電圧−Ｖsを高くさせる）ので、液晶容量１１８の電圧実効値を小さくさせる方向
に作用する。このため、ノーマリーホワイトモードでは、画素１行分をすべて階調値Ｇ４
とする場合に実際に表示される画素は、画素１行分の半分だけを階調値Ｇ４とする場合に
実際に表示される画素よりも明るくなってしまうのである。
なお、走査線における選択電圧の変動は、横方向における階調値変化となって顕れる。
これが横クロストークと呼ばれる理由である。
【００４８】
これに対して、本実施形態では、図８に示されるように、正極性の選択電圧＋Ｖsが印
加される後半期間Ｔbでは、奇数ｊ列のデータ信号Ｘjが後縁方式とされ、偶数（ｊ＋１）
列のデータ信号Ｘ(j+1)が前縁方式とされるので、データ信号Ｘjにおいてオフ電圧＋Ｖd
からオン電圧−Ｖdへの切り替わりタイミングと、データ信号Ｘ(j+1)においてオン電圧−
Ｖdからオフ電圧＋Ｖdへの切り替わりタイミングとが互いに近接する。
一方、負極性の選択電圧−Ｖsが印加される後半期間Ｔbでは、奇数ｊ列のデータ信号Ｘ
jが前縁方式とされ、偶数（ｊ＋１）列のデータ信号Ｘ(j+1)が後縁方式とされるので、デ
ータ信号Ｘjにおいてオン電圧＋Ｖdからオフ電圧−Ｖdへの切り替わりタイミングと、デ
ータ信号Ｘ(j+1)においてオフ電圧−Ｖdからオン電圧＋Ｖdへの切り替わりタイミングと
が互いに近接する。
このため、本実施形態では、各走査線３１２において、奇数ｊ列目のデータ線２１２の
電圧切り替えによる電圧変動は、偶数（ｊ＋１）列目のデータ線２１２の電圧切り替えに
より電圧変動によって相殺されて、特に選択電圧の変動が抑えられる結果、上述した横ク
ロストークの発生を抑えて目立たなくさせることが可能となるのである。また、例えば階
調値Ｇ４とすべき画素を複数行にわたって多数表過半数であるような場合、奇数列目のデ
ータ線２１２の電圧切り替えによる影響と偶数列目のデータ線２１２の電圧切り替えによ
る影響とが相殺し合う結果、選択電圧のみならず、非選択電圧の変動も抑えられるので、
電圧波形の歪みが軽減されて、その分、低消費電力化を図ることも可能となる。
【００４９】
さらに、同じデータ線２１２に着目したときに、画素を中間階調とする場合における電
圧切替回数が、対比構成では、水平走査期間当たり３回（図１５参照）であるのに対し、
実施形態では、水平走査期間毎に後縁方式と前縁方式とが交互に切り替えられるので、水
平走査期間当たり２回に減少する。このため、データ線２１２に寄生する容量によって消
費される電力が抑えられるので、より低消費電力化を図ることが可能となる。
なお、本実施形態では、水平走査期間においてデータ信号として電圧＋Ｖdをとる期間
と電圧−Ｖdをとる期間とは、階調値に依らず５０％ずつであるので、データ信号の実効
電圧は、上述した縦および横クロストークの影響を考えなければ、階調値に依存すること
なく互いに一定である。
【００５０】
このように本実施形態によれば、上述した縦クロストークと横クロストークとを同時に
解消するとともに、低消費電力化をも図ることが可能となるのである。
【００５１】
＜応用・変形＞
上述した実施形態では、図９（ａ）に示されるように、ｎフレームにおいて、ｉ行目の
走査線に正極性の選択電圧＋Ｖsが印加される場合に、奇数ｊ列では後縁方式となり、偶
数（ｊ＋１）列では前縁方式となる一方、次の（ｉ＋１）行目の走査線には負極性の選択
電圧−Ｖsが印加されて、奇数ｊ列では前縁方式となり、偶数（ｊ＋１）列では後縁方式
となる。
また、図９（ｂ）に示されるように、次の（ｎ＋１）フレームにおいて、ｉ行目の走査
線には負極性の選択電圧−Ｖsが印加されて、奇数ｊ列では前縁方式となり、偶数（ｊ＋
１）列では後縁方式となる一方、次の（ｊ＋１）行目では正極性の選択電圧＋Ｖsが印加
されて、奇数ｊ列では後縁方式となり、偶数（ｊ＋１）列では前縁方式となる。
すなわち、正極性書込で後縁方式となる画素は、負極性書込で前縁方式となる一方、負
極性書込で後縁方式となる画素は、正極性書込で前縁方式となる。このため、前縁方式と
後縁方式とで、書き込まれる電圧の実効値になんらかの理由により差が生じると、液晶容
量１１８が正しく交流駆動されずに、直流成分が印加されて、液晶の劣化やフリッカの原
因となる。
そこで、例えば図１０に示されるように、１つの画素において、正極性・後縁方式、負
極性・前縁方式、正極性・前縁方式、負極性・後縁方式の４種類を４フレームで循環させ
る構成を採用すれば、前縁方式と後縁方式とで書き込まれる電圧の実効値に差が生じたと
しても、４フレームを電圧実効値の基準として考えれば、液晶容量１１８を正しく交流駆
動することが可能となり、直流成分の印加による液晶の劣化やフリッカの発生を抑えるこ
とが可能となる。なお、この循環させる順番は、必ずしもａ→ｂ→ｃ→ｄ（→ａ）の順番
でなくても良いし、８フレームを基準として、例えばａ→ａ→ｂ→ｂ→ｃ→ｃ→ｄ→ｄ（
→ａ）の順番としても良い。
【００５２】
また、実施形態では、選択電圧を、水平走査期間の後半期間Ｔbに印加する構成とした
が、図１１および図１２に示されるように、水平走査期間の前半期間Ｔaに印加する構成
としても良い。この構成においても縦クロストークは図１１に示されるように解消できる
し、横クロストークについても図１２に示されるように解消できる。
なお、この構成では、奇数ｊ列においては、選択電圧が印加される前半期間Ｔaの反転
波形が同じ水平走査期間の後半期間Ｔbに印加されることになる。また、偶数（ｊ＋１）
列においては、選択電圧が印加される前半期間Ｔaの反転波形が、その前の水平走査期間
の後半Ｔbに予め印加されることになる。
さらに、実施形態、応用例において奇数列・偶数列の関係を入れ替えて、メモリ２５２
から読み出す階調データを、奇数列において、偶数列よりも０．５Ｈだけ遅延させる構成
としても良い。また、階調データＤsをメモリ２５２で蓄積するのではなく、上位回路が
電気光学パネル１００における垂直および水平走査に同期して供給する構成としても良い
。
【００５３】
また、実施形態においては、ＴＦＤ素子２２０がデータ線２１２に接続され、液晶容量
１１８が走査線３１２に接続された構成を例示したが、これとは逆に、ＴＦＤ素子２２０
が走査線３１２に、液晶容量１１８がデータ線２１２にそれぞれ接続された構成としても
よい。
さらに、実施形態において、ＴＦＤ素子２２０を備えたアクティブマトリクス方式の電
気光学装置を例示したが、本発明は、この種の非線形素子を用いることなく、帯状の電極
同士の交差によって液晶を挟持したパッシブマトリクス方式の電気光学装置にも適用可能
である。
くわえて、ノーマリーホワイトモードではなく、液晶容量１１８の電圧実効値が小さい
と、光の透過率が小さくなって黒色表示になるノーマリーブラックモードとしても良い。
【００５４】
＜電子機器＞
次に、本発明に係る電気光学装置を表示装置として備える電子機器について説明する。
図１３は、実施形態に係る電気光学装置を有する携帯電話機の構成を示す斜視図である。
この図に示されるように、携帯電話機１２００は、利用者により操作される複数の操作ボ
タン１２０２、他の端末装置から受信した音声を出力する受話口１２０４、および他の端
末装置に送信される音声を入力する送話口１２０６のほかに、各種の画像を表示する電気
光学装置を有する。なお、この図においては、電気光学装置のうち、電気光学パネル１０
０の表示領域だけが示されている。
【００５５】
本発明に係る電気光学装置が利用され得る電子機器としては、図１３に示される携帯電
話機のほかにも、ノート型のパーソナルコンピュータや、液晶テレビ、ビューファインダ
型（またはモニタ直視型）のビデオレコーダ、デジタルカメラ、カーナビゲーション装置
、ページャ、電子手帳、電卓、ワードプロセッサ、ワークステーション、テレビ電話、Ｐ
ＯＳ端末、タッチパネルを備えた機器等などが挙げられる。いずれの電子機器においても
、縦および横クロストークを抑えた高品位の表示を、低消費電力で実現することが可能と
なる。
【図面の簡単な説明】
【００５６】
【図１】本発明の実施形態に係る電気光学装置の構成を示す図である。
【図２】同電気光学装置における画素の構成を示す図である。
【図３】同電気光学装置における走査信号の電圧波形を示す図である。
【図４】同電気光学装置におけるデータ線駆動回路の構成を示す図である。
【図５】同データ線駆動回路におけるデータ信号の電圧波形を示す図である。
【図６】同データ線駆動回路におけるデータ信号の電圧波形を示す図である。
【図７】同電気光学装置における縦クロストークの抑制を示す図である。
【図８】同電気光学装置における横クロストークの抑制を示す図である。
【図９】同電気光学装置の駆動方式を示す図である。
【図１０】本発明の応用例に係る電気光学装置の駆動方式を示す図である。
【図１１】本発明の応用例に係るデータ信号の電圧波形を示す図である。
【図１２】本発明の応用例に係るデータ信号の電圧波形を示す図である。
【図１３】同電気光学装置を適用した携帯電話機の構成を示す図である。
【図１４】従来例に係るデータ信号の電圧波形を示す図である。
【図１５】従来例に係るデータ信号の電圧波形を示す図である。
【符号の説明】
【００５７】
１０…電気光学装置、１００…電気光学パネル、１１６…画素、１１８…液晶容量、１
１９…画素電極、２２０…ＴＦＤ素子、２１２…データ線、２５０…データ線駆動回路、
３１２…走査線、３５０…走査線駆動回路、４００…制御回路、４５０…階調制御パルス
生成回路、５００…電圧生成回路、１２００…携帯電話
【図１】
2007164019.tif 000003
【図２】
2007164019.tif 000004
【図３】
2007164019.tif 000005
【図４】
2007164019.tif 000006
【図５】
2007164019.tif 000007
【図６】
2007164019.tif 000008
【図７】
2007164019.tif 000009
【図８】
2007164019.tif 000010
【図９】
2007164019.tif 000011
【図１０】
2007164019.tif 000012
【図１１】
2007164019.tif 000013
【図１２】
2007164019.tif 000014
【図１３】
2007164019.tif 000015
【図１４】
2007164019.tif 000016
【図１５】
2007164019.tif 000017